(57)【要約】  【課題】原稿読み取り時のフレアによる影響を抑えた画像読取装置を提供する。  【解決手段】原稿の読み取り対象となる読取領域と原稿の読み取り対象ではない非読取領域とを備えたコンタクトガラスと、読取領域に載置された原稿に光を照射する光源と、原稿にて反射した上記光源からの光を受光する受光手段とを備え、非読取領域であって光源からの光の照射を受けるフレア発生領域に、読取領域に比較して光源からの光の反射を低下させる非反射構造を有する画像読取装置を提供する。【選択図】図３
2007201730.tif 000002
【特許請求の範囲】
【請求項１】
原稿の読み取り対象となる読取領域と原稿の読み取り対象ではない非読取領域とを備えたコンタクトガラスと、
上記読取領域に載置された原稿に光を照射する光源と、
上記原稿にて反射した上記光源からの光を受光する受光手段とを備え、
上記非読取領域であって上記光源からの光の照射を受けるフレア発生領域に、上記読取領域に比較して上記光源からの光の反射を低下させる非反射構造を有する画像読取装置。
【請求項２】
上記非反射構造は、上記フレア発生領域への、読取領域よりも光反射の少ない非反射色による着色である請求項１に記載の画像読取装置。
【請求項３】
上記非反射色が黒色である請求項２に記載の画像読取装置。
【請求項４】
上記光源が有色光を照射する場合、
上記非反射構造は、上記フレア発生領域への、上記有色光に対応する補色の着色である請求項１に記載の画像読取装置。
【請求項５】
上記コンタクトガラスの原稿の載置面における非読取領域に原稿載置の基準を示す原稿載置板を備えると共に、上記載置面とは逆の面である照射面から上記光源の照射を受ける場合、
上記コンタクトガラスと上記原稿載置板とを、読取領域よりも光反射の少ない非反射色を有する接着手段にて接着した請求項１に記載の画像読取装置。
【請求項６】
上記非反射構造は、上記非読取領域に対応するコンタクトガラスのすりガラス化である請求項１記載の画像読取装置。
【発明の詳細な説明】
【技術分野】
【０００１】
本発明は、画像読取装置に関し、詳しくは、原稿読み取り時のフレアによる影響を抑えた画像読取装置に関する。
【背景技術】
【０００２】
例えばオフィスなどの面積の削減などの要求により、スキャナ等の画像読取装置において小型化が求められている。これに伴い、当該画像読取装置の内部構造において、空間的及び光学的に余裕の少ない構造を強いられている。光学的に余裕の少ない構造では、従来では影響の無かった光の反射が画像の読み取りに影響を及ぼすに至っている。
【０００３】
なお、目的としない反射光をフレアと称するが当該フレアの影響を抑えるために、特開平６−９０３２８号公報においては、光源から受光素子までの光路の一部に板状部材を配設することで、意図しない光の受光を排除する構成が開示されている。
【特許文献１】特開平６−９０３２８号公報
【発明の開示】
【発明が解決しようとする課題】
【０００４】
以下に、小型化に伴うフレアの問題を具体的に示す。
図５に示すのは一般的な画像読取構造の一部であり、コンタクトガラス５０２上に載置された原稿５０１が、移動キャリッジ５０３を構成する光源５０４からの光の照射を受け、その反射光がスリット５０５を介して反射鏡５０６に反射される。反射された光が図示しない受光素子にて受光されることで、原稿５０１が画像として読み取られる。
【０００５】
上記処理において、点線矢印は光路の一例を示すものであるが、光源５０４からの光がコンタクトガラス５０２上の、原稿の読み取りとは関係の無い非読取領域５０７にて反射し、さらにスリット５０５の端部近傍５０８においても反射して再度原稿面に照射されている。
ここに、フレアが生じている際の読取画像濃度を図６に示す。図６は、全面同一濃度を有する原稿を読み取った際の原稿端部近傍の画像濃度を示したものであり、Y軸の数値が大きいほど明るいことを示す。つまり、全面同一濃度にもかかわらず、原稿端部から約１００ピクセル（４ｃｍ程度）までの画像濃度（約５０〜６０弱）が原稿中央部（約４０強）に比較して大きくなっていることが読み取れる。
ところで、上述した小型化に伴うフレアの問題に対しては、上記従来技術を適用することは困難であるといえる。すなわち、小型化を目的とした上記構成には、空間的余裕が少なく、例えば光源と原稿との間に板状部材を配置するほどの余裕が無い。当然、当該板上部材によるコストアップの問題も生じる。さらに、上記従来技術は、主にスリットの端手方向（原稿走査時における副走査方向）からの反射光の悪影響を防止せしめるものであり、スリットの長手方向（走査方向）からの反射光を防ぐことができないという問題もある。
【０００６】
本発明は、上記従来の問題を解決するために提案するものであって、原稿読み取り時の原稿端部におけるフレアの影響を抑えた画像読取装置を提供することを目的とする。
【課題を解決するための手段】
【０００７】
本発明は、上記目的を達成するために以下の手段を採用している。すなわち本発明における画像読取装置は、原稿の読み取り対象となる読取領域と原稿の読み取り対象ではない非読取領域とを備えたコンタクトガラスと、読取領域に載置された原稿に光を照射する光源と、原稿にて反射した上記光源からの光を受光する受光手段とを備える。そして、非読取領域であって光源からの光の照射を受けるフレア発生領域に、読取領域に比較して光源からの光の反射を低下させる非反射構造を有する。
【０００８】
上記非反射構造により、フレアによる影響を抑えて原稿両端部と中央部の光の反射量を均一することができ、すなわち原稿の画像を正確に取得することができる。
【０００９】
非反射構造は、フレア発生領域への、読取領域よりも光反射の少ない非反射色による着色により実施することができる。非反射色としては主として黒色や、グレー、濃い有色等これに準じた色を適用可能である。
また、光源が有色光を照射する場合、非反射構造は、フレア発生領域への、有色光に対応する補色の着色としてもよい。
【００１０】
また、コンタクトガラスの原稿の載置面における非読取領域に原稿載置の基準を示す原稿載置板を備え、照射面から上記光源の照射を受ける場合、コンタクトガラスと原稿載置板とを、読取領域よりも光反射の少ない非反射色を有する接着手段にて接着することでも、フレアを防止することができる。
【００１１】
この構成では、従来の製造手順を変更することなく、接着手段を非反射色にするのみであるので、製造効率の面で有利である。
【００１２】
また非反射構造を、非読取領域に対応するコンタクトガラスのすりガラス化としても同様の効果が期待できる。
【発明の効果】
【００１３】
フレアによる影響を抑えて原稿両端部と中央部の光の反射量を均一することができ、すなわち原稿の画像を正確に取得することができる。
また、コンタクトガラスと原稿載置板とを、読取領域よりも光反射の少ない非反射色を有する接着手段にて接着することでもフレアを防止することができ、この構成では、従来の製造手順を変更することなく、接着手段を非反射色にするのみであるので、製造効率の面で有利である。
【発明を実施するための最良の形態】
【００１４】
以下、添付図面を参照して、本発明の実施の形態につき説明し、本発明の理解に供する。尚、以下の実施の形態は、本発明を具体化した一例であって、本発明の技術的範囲を限定するものではない。
【００１５】
本発明に係る画像読取装置は、例えばスキャナや、コピー機、ファックス、あるいはこれらを備えた複合機等が該当する。
【００１６】
なお、画像読取装置の一例としてスキャナの構成を簡単に説明する。図１は、画像読取装置１０１の概略構成を示した側面図である。図１に示すように画像読取装置１０１は、載置台１０２、載置台カバー１０３、第一の移動キャリッジ１０４、第二の移動キャリッジ１０８、レンズ群１１１、及び受光手段として機能する受光素子１１２を具備している。
【００１７】
さらに、上記第一の移動キャリッジ１０４は、光源１０５と、光源から照射され原稿表面にて反射した光を通過させるスリット１０７と、スリットを介して受光した光を反射する第一キャリッジ反射ミラー１０６とを備えている。
【００１８】
また、上記第二の移動キャリッジ１０８は、上記第一キャリッジ反射ミラー１０６からの反射光を反射する第二キャリッジ反射ミラー１０９、１１０を備えている。
【００１９】
図２は、画像読取装置の概略上面図であり、載置台カバー１０３を省略した状態における画像読取装置の上方からの図面である。また図３は、画像読取装置の走査方向（図２におけるＡ−Ａ‘近傍）の断面図である。
【００２０】
上記載置台１０２は、コンタクトガラス３０１と、当該コンタクトガラス３０１の原稿読取面（上面）に設けられた原稿載置板２０１、２０２とより構成される。上記原稿載置板２０１、２０２は、コンタクトガラス３０１上であって、原稿の読み取り対象ではない非読取領域に配設されており、コンタクトガラス３０１上であっても非読取領域については原稿の読み取り対象とはならない。また、上記原稿載置板２０１、２０２が配設されていない、図２において破線２０３で示される領域は、原稿の読取領域２０３とすることができる。読取領域とは原稿の読み取り対象となる領域である。
【００２１】
さて、上記構成に基づいて、画像読取装置１０１が原稿を読み取る処理について説明する。
【００２２】
上記画像読取装置１０１にて原稿を読み取る場合、上記載置台１０２の原稿読取面に対して、原稿の読み取り面を対向させて配置する。この際に、原稿の角部が、コンタクトガラス３０１に対して凸部となる原稿載置板２０１より定められる基準点１１３と合致するように原稿を配置する。原稿を配置して載置台カバー１０３を原稿上部に着設（図１の状態）した後読み取り処理を開始すると、上記第一の移動キャリッジ１０４が基準点１１３を含む走査ライン下方に移動する。
【００２３】
続いて、第一の移動キャリッジ１０４上の光源１０５がコンタクトガラス３０１の下面である照射面方向より原稿に対して光を照射する。照射された光は、原稿の読み取り面にてその濃度に応じて反射され、スリット１０７を介して第一キャリッジ反射ミラー１０６に反射される。
【００２４】
第一キャリッジ反射ミラー１０６にて反射された光は、第二キャリッジ１０８を構成する第二キャリッジ反射ミラー１０９、１１０にて順次反射されることでその光路が変更され、レンズ群１１１を介して受光素子１１２にて受光される。
【００２５】
受光素子１１２にて原稿の反射光が受光されると、受光素子１１２は受光した光を電気信号に変換することで原稿の走査方向の例えば１ライン分の画像が電子化される。
【００２６】
上記第一キャリッジ１０４が副走査方向に移動し、当該移動に基づいて受光した光を随時変換することで、読取領域２０３内に載置された原稿の読み取り面全面が電子化されて画像情報として取得される。
【００２７】
取得された画像情報は、例えば図示しない記憶手段に記憶され、必要に応じて他の機器あるいは他の処理部に送信される。
【００２８】
さて、このような画像読取装置１０１において、図３に示すように、コンタクトガラス３０１の照射面であり且つ非読取領域に該当する領域３０２Ａ、３０２Ｂは、原稿の読み取りが行われないにもかかわらず光が照射されるため、フレアの原因となり、つまりフレア発生領域とすることができる。上記フレア発生領域は、図２における原稿載置板２０１、２０２の照射面側の領域が該当する。
【００２９】
よって画像読取装置１０１には、上記フレア発生領域に対して、読取領域２０３よりも光の反射を低下させる非反射構造を備えている。
【００３０】
上記非反射構造として、フレア発生領域３０２Ａ、３０２Ｂに、読取領域２０３よりも反射率が低くなるように有色（非反射色）の着色を行う。当該着色は、例えばコンタクトガラス３０１の照射面あるいは原稿載置面であって非読取領域を黒色で着色することで行われる。当該着色は、コンタクトガラス２０８に直接塗料を着色してもよいが、例えば非反射色の接着テープやあるいは非反射色の板をフレア発生領域３０２Ａ、３０２Ｂに貼り付けることで実施してもよい。さらには、原稿載置板２０１、２０２の、少なくとも原稿載置面に接する一面を非反射色としてもよい。ここにいう非反射色とは、黒、グレー、濃い有色、さらにこれらに対してつや消し処理を施した色等を指す。なお、モノクロの画像読取装置である場合、光源を白色光以外の例えば緑で設計する場合がある。このような場合は、上記非反射色として例えば緑と補色の関係を有する赤を適用することも可能である。緑の光に限らず、他の色を用いた場合であっても光源の色と補色の関係を有する非反射色を利用することで、フレアを防止することができる。
【００３１】
また、塗料による着色に比較して、接着テープ等、接着手段の利用や原稿載置板２０１、２０２への着色は、コスト的に有利であるといえる。
【００３２】
さらに、コンタクトガラス３０１と原稿載置板２０１、２０２とを接着する際に、当該接着手段として、非反射色の両面テープ３０３Ａ、３０３Ｂで接着することによっても、フレア発生領域におけるフレアの発生を防止することが可能となる。この場合には、従来の製造手順を変更することなく、接着手段を非反射色にするのみであるので、製造効率の面で有利である。
【００３３】
上記非反射構造を施した原稿載置台１０２を利用した場合、図３の破線矢印３０４に示すように、光源１０５からフレア発生領域に照射された光の、非反射構造を施された面（図中の×印）における反射が減少する。当該反射の減少により、スリットの長手方向（走査方向）からのフレアに基づく反射光がスリット１０７を通過することが無く、すなわち原稿の走査方向両端部がその中心部に比較して不要に明るくなることを防止することができる。
従来技術で示した図６と同条件で、コンタクトガラス２０８のフレア発生領域（照射面側）に黒色の接着テープを貼り付けた際の、読取画像濃度を示すグラフを図４に示す。原稿端部から約１００ピクセルまでの画像濃度（約４５〜５０弱）が図６に比較して暗くなり、すなわち原稿中央部（約４０強）の濃度に近い値が得られているのが読み取れる。
【００３４】
つまり、原稿両端部と中央部の光の反射量が均一となり、すなわちフレアによる影響を抑えて原稿の画像を正確に取得することができる。
【００３５】
なお、上記非反射構造については着色以外に、例えばコンタクトガラスのフレア発生領域をすりガラス化すること等によっても上記効果が期待できる。
【産業上の利用可能性】
【００３６】
本発明に係る画像読取装置は、原稿読み取り時のフレアによる影響を抑えた画像読取装置として有用である。
【図面の簡単な説明】
【００３７】
【図１】画像読取装置の概略構成を示した側面図。
【図２】画像読取装置の上面図。
【図３】画像読取装置の走査方向の断面図。
【図４】本発明に係る画像読取装置における読取画像濃度図。
【図５】従来のフレア発生領域における反射を示す断面図。
【図６】従来の画像読取装置における読取画像濃度図。
【符号の説明】
【００３８】
１０１  画像読取装置
１０２  載置台
１０３  載置台カバー
１０４  第一の移動キャリッジ
１０５  光源
１０６  第一移動キャリッジ反射ミラー
１０７  スリット
１０８  第二の移動キャリッジ
１０９、１１０  第二移動キャリッジ反射ミラー
１１０  第二移動キャリッジ反射ミラー
１１１  レンズ群
１１２  受光素子
１１３  基準点
２０１、２０２  原稿載置板（非読取領域）
２０３  読取領域
３０１  コンタクトガラス
３０２Ａ、３０２Ｂ  フレア発生領域
３０３Ａ、３０３Ｂ  両面テープ
【図１】
2007201730.tif 000003
【図２】
2007201730.tif 000004
【図３】
2007201730.tif 000005
【図４】
2007201730.tif 000006
【図５】
2007201730.tif 000007
【図６】
2007201730.tif 000008